(57)【要約】【課題】スケジュール情報を簡易にスケジュール表に入力する。【解決手段】本開示の一態様にかかるスケジュール管理装置（1）は、ユーザのスケジュール情報を記憶するスケジュール表に、ユーザの行動予定を示す情報である行動予定情報を入力する入力手段（50）と、スケジュール表に行動予定情報が入力された場合に、ユーザのアカウントに紐付けられた情報が記憶されたサイトと、ユーザに関連する情報が記憶された記憶部と、の少なくとも１つを、行動予定情報に基づいて検索し、行動予定情報に関連する関連情報を取得する取得手段（11）と、関連情報を行動予定情報と紐付けてスケジュール情報としてスケジュール表に登録する登録手段（12）と、を有する。【選択図】図１
2015090594.tif 000002
【特許請求の範囲】
【請求項１】
ユーザのスケジュール情報を記憶するスケジュール表に、前記ユーザの行動予定を示す情報である行動予定情報を入力する入力手段と、
前記スケジュール表に前記行動予定情報が入力された場合に、前記ユーザのアカウントに紐付けられた情報が記憶されたサイトと、前記ユーザに関連する情報が記憶された記憶部と、の少なくとも１つを、前記行動予定情報に基づいて検索し、前記行動予定情報に関連する関連情報を取得する取得手段と、
前記関連情報を前記行動予定情報と紐付けて前記ユーザのスケジュール情報として前記スケジュール表に登録する登録手段と、
を有することを特徴とするスケジュール管理装置。
【請求項２】
前記取得手段により取得した前記関連情報を、前記行動予定情報と紐付けて表示する表示手段と、
前記表示手段に表示した前記関連情報を変更する変更手段と、を有し、
前記登録手段は、前記表示手段に表示した前記関連情報の登録要求を受け付けた場合に、前記関連情報を前記行動予定情報と紐付けて前記ユーザのスケジュール情報として前記スケジュール表に登録する、ことを特徴とする請求項１記載のスケジュール管理装置。
【請求項３】
前記取得手段は、前記サイトと、前記記憶部と、の少なくとも１つを、前記行動予定情報に含まれる所定のキーワードに基づいて検索し、前記キーワードを含む関連情報を取得する、ことを特徴とする請求項１または請求項２記載のスケジュール管理装置。
【請求項４】
前記キーワードは、前記行動予定の日時、場所、内容の少なくとも１つを特定するキーワードである、ことを特徴とする請求項１から請求項３のいずれか１項に記載のスケジュール管理装置。
【請求項５】
ユーザのスケジュール情報を記憶するスケジュール表に、前記ユーザの行動予定を示す情報である行動予定情報が入力手段により入力された場合に、前記ユーザのアカウントに紐付けられた情報が記憶されたサイトと、前記ユーザに関連する情報が記憶された記憶部と、の少なくとも１つを、前記行動予定情報に基づいて検索し、前記行動予定情報に関連する関連情報を取得する取得処理と、
前記関連情報を前記行動予定情報と紐付けて前記ユーザのスケジュール情報として前記スケジュール表に登録する登録処理と、
を、コンピュータに実行させることを特徴とするプログラム。
【発明の詳細な説明】
【技術分野】
【０００１】
本開示は、ユーザのスケジュール情報を管理する技術に関する。
【背景技術】
【０００２】
パーソナルコンピュータ等の情報処理装置には、通常、スケジュール管理機能が搭載されている。スケジュール管理機能は、ユーザのスケジュール情報を管理する機能である。スケジュール情報としては、ユーザの行動予定情報や、その行動予定情報に関連する関連情報などがあげられる。行動予定情報は、会議、出張、旅行などのユーザの行動予定を示す情報を意味する。関連情報は、行動予定情報に関連するあらゆる情報を意味する。例えば、行動予定情報が会議の場合は、その会議の場所情報、会議の参加者名情報などの会議に関連するあらゆる情報が関連情報となる。
【０００３】
従来のスケジュール管理機能は、ユーザがスケジュール表に登録したい全てのスケジュール情報をユーザがスケジュール表に直接入力する必要があった。このため、従来のスケジュール管理機能は、スケジュール情報の入力に手間がかかり面倒であった。このため、スケジュール情報を簡易にスケジュール表に入力することが可能な仕組みが必要視されている。
【０００４】
なお、本発明より先に出願された技術文献として、特許文献１（特開2012-163988号公報）には、利用者が外出予定を立てる際の利便性を高めることができる技術について開示されている。
【０００５】
特許文献１では、利用者のスケジュールが記載された予定表に対して新たに登録しようとする予定の目的地の所定期間の天気予報を、天気予報サーバから取得する。そして、その取得した天気予報の情報を、目的地と共に予定表に登録する。これにより、目的地と、その目的地に関連する天気予報の情報と、を対応付けて予定表に自動的に登録することを可能にしている。
【先行技術文献】
【特許文献】
【０００６】
【特許文献１】特開２０１２−１６３９８８号公報
【発明の概要】
【発明が解決しようとする課題】
【０００７】
特許文献１の技術は、目的地と、その目的地に関連する天気予報の情報と、を対応付けて予定表に自動的に登録することを可能にしている。しかし、ユーザのアカウントに紐付けられた情報が記憶されたサイトやユーザに関連する情報が記憶された記憶部の情報を予定表に反映させることについては何ら考慮されていない。サイトとしては、例えば、mixi、Ameba、Facebook、Twitter、Google+、Myspace、LinkedInなどのＳＮＳサイトを意味する。また、記憶部としては、例えば、マイピクチャフォルダ、マイビデオフォルダなどのユーザの画像情報が記憶された記憶部、ユーザの視聴、録画対象の放送番組情報が記憶された記憶部、ユーザのスケジュール情報が記憶された記憶部を意味する。
【０００８】
本開示の目的は、スケジュール情報を簡易にスケジュール表に入力することにある。
【課題を解決するための手段】
【０００９】
本開示の一態様にかかるスケジュール管理装置は、
ユーザのスケジュール情報を記憶するスケジュール表に、前記ユーザの行動予定を示す情報である行動予定情報を入力する入力手段と、
前記スケジュール表に前記行動予定情報が入力された場合に、前記ユーザのアカウントに紐付けられた情報が記憶されたサイトと、前記ユーザに関連する情報が記憶された記憶部と、の少なくとも１つを、前記行動予定情報に基づいて検索し、前記行動予定情報に関連する関連情報を取得する取得手段と、
前記関連情報を前記行動予定情報と紐付けて前記ユーザのスケジュール情報として前記スケジュール表に登録する登録手段と、
を有することを特徴とする。
【発明の効果】
【００１０】
本開示の一態様によれば、スケジュール情報を簡易にスケジュール表に入力することができる。
【図面の簡単な説明】
【００１１】
【図１】本実施形態のスケジュール管理装置の構成例を示す図である。
【図２】スケジュール管理装置の処理動作例を示す図である。
【図３】スケジュール情報をスケジュール表に登録する例を示す第１の図である。
【図４】スケジュール情報をスケジュール表に登録する例を示す第２の図である。
【図５】スケジュール情報をスケジュール表に登録する例を示す第３の図である。
【発明を実施するための形態】
【００１２】
＜本開示の一態様にかかるスケジュール管理装置1の概要＞
まず、図１、図２を参照しながら、本開示の一態様にかかるスケジュール管理装置1の概要について説明する。図１は、本開示の一態様にかかるスケジュール管理装置1の構成例を示す。図２は、本開示の一態様にかかるスケジュール管理装置1の処理動作例を示す。
【００１３】
本開示の一態様にかかるスケジュール管理装置1は、入力手段と、取得手段と、登録手段と、を有して構成する。
【００１４】
入力手段は、ユーザのスケジュール情報を記憶するスケジュール表に、ユーザの行動予定を示す情報である行動予定情報を入力する。行動予定情報は、スケジュール情報の少なくとも一部を構成する情報であり、会議、出張、旅行などのユーザの行動予定を示す情報を意味する。入力手段は、入力部50が機能する。
【００１５】
取得手段は、入力手段によりスケジュール表に行動予定情報が入力された場合に、ユーザのアカウントに紐付けられた情報が記憶されたサイトと、ユーザに関連する情報が記憶された記憶部と、の少なくとも１つを、行動予定情報に基づいて検索し、行動予定情報に関連する関連情報を取得する。サイトは、スケジュール管理装置1とネットワークを介して接続されたサイト（図示せず）であり、例えば、mixi、Ameba、Facebook、Twitter、Google+、Myspace、LinkedInなどのＳＮＳサイトを意味する。また、記憶部は、例えば、マイピクチャフォルダ、マイビデオフォルダなどのユーザの画像情報が記憶された記憶部、ユーザの視聴、録画対象の放送番組情報が記憶された記憶部、ユーザのスケジュール情報が記憶された記憶部を意味する。記憶部としては、例えば、スケジュール表記憶部21、アルバム情報記憶部22、放送番組情報記憶部23があげられる。関連情報は、行動予定情報に関連するあらゆる情報を意味する。例えば、行動予定情報が会議の場合は、その会議の場所情報、会議の参加者名情報などの会議に関連するあらゆる情報が関連情報となる。取得手段は、情報取得部11が機能する。
【００１６】
登録手段は、関連情報を行動予定情報と紐付けてスケジュール情報としてスケジュール表に登録する。登録手段は、情報登録部12が機能する。
【００１７】
本開示の一態様にかかるスケジュール管理装置1は、スケジュール表にユーザの行動予定情報が入力された場合に（ステップS2/Yes）、ユーザのアカウントに紐付けられた情報が記憶されたサイトと、ユーザに関連する情報が記憶された記憶部と、の少なくとも１つを、行動予定情報に基づいて検索し、行動予定情報に関連する関連情報を取得する（ステップS3）。そして、その取得した関連情報を行動予定情報と紐付けてスケジュール情報としてスケジュール表に登録する（ステップS8）。これにより、スケジュール情報を簡易にスケジュール表に入力することができる。以下、添付図面を参照しながら、本開示の一態様にかかるスケジュール管理装置1について詳細に説明する。
【００１８】
＜スケジュール管理装置1の構成例＞
まず、図１を参照しながら、本実施形態のスケジュール管理装置1の構成例について説明する。図１は、本実施形態のスケジュール管理装置1の構成例を示す。
【００１９】
本実施形態のスケジュール管理装置1は、制御部10、記憶部20、通信部30、表示部40、入力部50を有して構成する。
【００２０】
制御部10は、スケジュール管理装置1を統括して制御する。
【００２１】
記憶部20は、各種情報を記憶する。本実施形態の記憶部20は、スケジュール表記憶部21、アルバム情報記憶部22、放送番組情報記憶部23、サイト情報記憶部24を有している。
【００２２】
スケジュール表記憶部21は、ユーザのスケジュール情報を記録するスケジュール表を記憶する。スケジュール表は、公知のスケジュール管理機能と同様に、日時毎にユーザのスケジュール情報を記憶することができる。
【００２３】
アルバム情報記憶部22は、ユーザのアルバム情報を記憶する。アルバム情報としては、ユーザの写真データ、動画データなどがあげられる。アルバム情報記憶部22は、マイピクチャフォルダ、マイビデオフォルダなどの記憶部があげられる。
【００２４】
放送番組情報記憶部23は、ユーザが視聴予約した放送番組情報や、録画予約した放送番組情報を記憶する。また、ユーザの嗜好に応じた放送番組情報を記憶する。放送番組情報記憶部23は、公知の録画装置に搭載されている視聴予約機能、録画予約機能により登録された放送番組情報を記憶する記憶部があげられる。ユーザの嗜好に応じた放送番組情報は、ユーザの過去の行動履歴、視聴履歴を解析し、ユーザの嗜好を特定し、そのユーザの嗜好に応じた放送番組情報を決定することで得られる。放送番組情報は、EPGなどの放送番組情報の中から決定することで得られる。EPGなどの放送番組情報は、スケジュール管理装置1が取得する。
【００２５】
サイト情報記憶部24は、ユーザのアカウントに紐付けられた情報が記憶されたサイトのアクセス情報を記憶する。サイトとしては、mixi、Ameba、Facebook、Twitter、Google+、Myspace、LinkedInなどのＳＮＳサイトがあげられる。サイトにアクセスするためのアクセス情報としては、URL、IPアドレスなどサイトに接続する際に必要な情報があげられる。また、アクセス情報と共に、そのサイトにアクセスする際に必要なユーザ名やパスワードなどのユーザアカウントを記憶する。サイト情報記憶部24は、サイト毎にアクセス情報やユーザアカウントを記憶する。サイト情報記憶部24に記憶するサイトは、ユーザのアカウントに紐付けられた情報が記憶されたサイトであれば、ユーザが任意に設定することが可能である。ユーザのアカウントに紐付けられた情報は、ユーザが予め設定したユーザアカウントを用いてサイトに接続した際に、ユーザがブラウザ上で閲覧できる情報を意味する。
【００２６】
通信部30は、各種外部装置や各種サイトに接続する。通信部30の通信形態は、各種外部装置や各種サイトに接続することが可能であれば、有線、無線を問わず、あらゆる通信形態が適用可能である。
【００２７】
表示部40は、各種情報を表示する。例えば、スケジュール表記憶部21に記憶されたスケジュール表を表示する。
【００２８】
入力部50は、各種情報を入力する。例えば、スケジュール表に入力する各種情報を入力する。入力部50における情報の入力方法は特に限定せず、例えば、ユーザのキー操作により情報を入力したり、ユーザの音声により情報を入力したりすることが可能である。
【００２９】
本実施形態の制御部10は、情報取得部11、情報登録部12、情報変更部13を有して構成する。
【００３０】
情報取得部11は、入力部50からユーザの行動予定情報が入力された場合に、各種サイトと、記憶部20に記憶された各種記憶部21〜23と、の少なくとも１つを、行動予定情報に基づいて検索し、入力部50から入力された行動予定情報に関連する関連情報を取得する。そして、その取得した関連情報を行動予定情報と紐付けて表示部40に表示する。
【００３１】
情報取得部11は、各種サイトにアクセスする場合は、サイト情報記憶部24に記憶されたアクセス情報を基に、通信部30を介して各種サイトにアクセスし、各種サイトと接続する。そして、行動予定情報に基づいて、各種サイトに記憶されたユーザの履歴情報を検索し、行動予定情報に関連する関連情報を取得する。具体的には、行動予定情報の中から形態素解析などに基づいて名詞などのキーワードを抽出し、その抽出したキーワードを含む関連情報を、ユーザの履歴情報の中から取得する。これにより、各種サイトに記憶された履歴情報の中から行動予定情報に関連する関連情報を取得することができる。なお、検索対象のキーワードのジャンルを予め設定しておくことも可能である。ジャンルとしては、地名情報、日時情報、イベント情報、名前情報などのスケジュール表に一般的に登録されるジャンルがあげられる。行動予定情報の中から抽出するキーワードとしては、行動予定の日時、場所、内容の少なくとも１つを特定するキーワードであることが好ましい。これにより、行動予定情報に関連する関連情報を精度良く各種サイトから取得することができる。
【００３２】
情報取得部11は、各種記憶部21〜23に記憶された履歴情報の中から行動予定情報に関連する関連情報を取得する場合は、行動予定情報の中からキーワードを抽出し、その抽出したキーワードを含む関連情報を、各種記憶部21〜23に記憶されたユーザの履歴情報の中から取得する。例えば、行動予定情報から抽出したキーワードを基に、スケジュール表記憶部21を検索し、キーワードが記載されたスケジュール表と同じ日に記載された情報を関連情報として取得する。また、行動予定情報から抽出したキーワードを基に、アルバム情報記憶部22を検索し、キーワードが記載された画像データを関連情報として取得する。画像データに記載されたキーワードは、画像データをアルバム情報記憶部22に保存する際に登録した保存名や、画像データのプロパティに登録された情報を意味する。また、行動予定情報から抽出したキーワードを基に、放送番組情報記憶部23を検索し、キーワードが記載された放送番組情報を関連情報として取得する。放送番組情報に記載されたキーワードは、放送番組情報の放送日時、番組タイトルなどEPGに含まれる各種情報を意味する。行動予定情報の中から抽出するキーワードとしては、行動予定の日時、場所、内容の少なくとも１つを特定するキーワードであることが好ましい。これにより、行動予定情報に関連する関連情報を精度良く各種記憶部21〜23から取得することができる。
【００３３】
情報登録部12は、情報取得部11が取得した関連情報を、入力部50から入力された行動予定情報と紐付けてスケジュール情報としてスケジュール表に登録する。
【００３４】
情報変更部13は、入力部50からの変更要求に基づいて表示部40に表示した関連情報を変更する。例えば、入力部50により関連情報の削除要求が行われた場合は、その関連情報の削除処理を行う。また、入力部50により関連情報の修正要求が行われた場合は、その関連情報の修正処理を行う。
【００３５】
＜スケジュール管理装置1の処理動作例＞
次に、図２〜図５を参照しながら、本実施形態のスケジュール管理装置1の処理動作例について説明する。図２は、スケジュール情報をスケジュール表に登録する際の処理動作例を示す図である。図３〜図５は、スケジュール情報をスケジュール表に登録する際の具体例を示す図である。
【００３６】
まず、制御部10は、スケジュール表の表示要求コマンドを受け付けた場合に、スケジュール表記憶部21に記憶されているスケジュール表を表示部40に表示する（ステップS1）。表示要求コマンドは、入力部50などによりユーザが実行する。これにより、表示部40にユーザのスケジュール表が表示される。例えば、図３に示すスケジュール表100が表示部40に表示される。
【００３７】
制御部10は、スケジュール表を表示部40に表示した後は、そのスケジュール表にユーザの行動予定情報が入力されたか否かを判定する（ステップS2）。行動予定情報は、会議、出張、旅行などのユーザの行動予定を示す情報を意味する。
【００３８】
ユーザは、表示部40に表示されたスケジュール表を参照し、ユーザの行動予定情報を入力部50により入力する。行動予定情報の入力方法は特に限定せず、キー操作により入力したり、音声により入力したりすることが可能である。例えば、入力部50により、図３に示すスケジュール表100の６月３０日を指定し、図４に示す６月３０日のスケジュール表101を表示部40に表示する。そして、図４に示すように、１３時３０分〜１７時００分まで「Ａさんの結婚式」とスケジュール表101に入力する。これにより、６月３０日の１３時３０分〜１７時００分まで「Ａさんの結婚式」という行動予定情報がスケジュール表101に入力される。
【００３９】
スケジュール表にユーザの行動予定情報が入力された場合は（ステップS2/Yes）、情報取得部11は、スケジュール表に入力された行動予定情報に基づいて、ユーザのアカウントに紐付けられた情報が記憶された各種サイト、ユーザに関連する情報が記憶された記憶部20の各種記憶部21〜23の情報を検索し、行動予定情報に関連する関連情報を取得する（ステップS3）。
【００４０】
図４に示すスケジュール表101には、６月３０日の１３時３０分〜１７時００分まで「Ａさんの結婚式」という行動予定情報が入力されたため、情報取得部11は、形態素解析などを行い、行動予定情報の中からキーワードとして、「６月３０日」、「Ａさん」、「結婚式」というキーワードを抽出する。そして、抽出した少なくとも１つのキーワードを含む関連情報を各種サイト、各種記憶部21〜23の情報の中から取得する。
【００４１】
情報取得部11は、各種サイト、各種記憶部21〜23から取得した関連情報を行動予定情報に紐付けて表示部40に表示されたスケジュール表に表示する（ステップS4）。
【００４２】
例えば、図５に示すように、入力部50により入力した「Ａさんの結婚式」という行動予定情報に紐付けて、FacebookのＳＮＳサイトから取得した関連情報を表示する。この場合、情報取得部11は、FacebookのＳＮＳサイトを検索し、行動予定情報の中から抽出した「６月３０日」、「Ａさん」、「結婚式」の少なくとも１つのキーワードを含む関連情報をFacebookのＳＮＳサイトから取得し、その取得した関連情報を、「Ａさんの結婚式」という行動予定情報に紐付けてスケジュール表101に表示する。また、FacebookのＳＮＳサイトから取得した関連情報の中には、「１２：００」という時刻情報が含まれているため、「１２：００」という時刻情報と関係性の強い「待ち合わせ」というキーワードを抽出し、その抽出したキーワードを関連情報として６月３０日のスケジュール表101の１２：００の欄に表示する。時刻情報と関係性の強いキーワードは、時刻情報と、その時刻情報の周囲に存在するキーワードと、の関係性をキーワード毎に数値化し、その数値が所定の値以上のキーワードを、時刻情報と関係性の強いキーワードと特定する。但し、数値化する際の方法は予め設定されているものとする。なお、「１２：００」という時刻情報が含まれる関連情報をそのまま６月３０日のスケジュール表101の１２：００の欄に表示することも可能である。図５の場合は、「待ち合わせね！」という情報を関連情報として６月３０日のスケジュール表101の１２：００の欄に表示する。
【００４３】
また、図５に示すように、入力部50により入力した「Ａさんの結婚式」という行動予定情報に紐付けて、ユーザの過去のスケジュール表から取得した「美容室」の情報を関連情報として表示する。この場合、情報取得部11は、スケジュール表記憶部21に記憶されているユーザの過去のスケジュール表を参照し、「結婚式」というキーワードが記憶されている別の日のスケジュール表を参照し、その「結婚式」と関連付けて所定回数以上スケジュール表に記憶されている「美容室」の情報を取得する。そして、その取得した「美容室」の情報を関連情報として、「Ａさんの結婚式」という行動予定情報に紐付けてスケジュール表101に表示する。この場合、情報取得部11は、別の日のスケジュール表に「美容室」の情報が記憶されている時刻情報に基づいて、「美容室」の情報が最も記憶されている時刻情報を特定し、その特定した時刻情報に基づいて、「Ａさんの結婚式」という行動予定情報に紐付けてスケジュール表101に表示する。図５では、「美容室」の情報が記憶されている過去のスケジュール表の時刻情報（９時３０分〜１０時３０分）に基づいて、スケジュール表101の９時３０分〜１０時３０分の欄に「美容室」の情報を表示している。
【００４４】
また、図５に示すように、入力部50により入力した「Ａさんの結婚式」という行動予定情報に紐付けて、放送番組情報記憶部23から取得した「１５：００  サッカー女子日本代表Ｕ−２０放送」の情報を関連情報として表示する。この場合、情報取得部11は、放送番組情報記憶部23を検索し、行動予定情報の中から抽出した「６月３０日」のキーワードを含む放送番組情報を放送番組情報記憶部23から取得し、その取得した放送番組情報を関連情報として、「Ａさんの結婚式」という行動予定情報に紐付けてスケジュール表101に表示する。放送番組情報記憶部23に記憶されている「１５：００  サッカー女子日本代表Ｕ−２０放送」の放送番組情報は、「６月３０日」に放送されるため、情報取得部11は、「６月３０日」のキーワードを含む放送番組情報として放送番組情報記憶部23から取得する。
【００４５】
これにより、ユーザは、入力部50によりスケジュール表に入力した行動予定情報に関連する関連情報を表示部40に表示されたスケジュール表で把握することができる。
【００４６】
表示部40に表示したスケジュール表には、行動予定情報に関連する各種の関連情報が表示される。このため、ユーザは、スケジュール表に表示された各種の関連情報を参照し、スケジュール表に登録する関連情報を入力部50により決定する必要がある。この場合、ユーザは、入力部50により、スケジュール表に表示された各種の関連情報の中から不要な関連情報を削除したり、関連情報を修正したりする。
【００４７】
情報変更部13は、入力部50により、関連情報の削除や修正が行われた場合は、関連情報の変更要求があったと判定し（ステップS5/Yes）、その変更要求に基づいて関連情報の変更処理を行う（ステップS6）。例えば、入力部50により関連情報の削除要求が行われた場合は、その関連情報の削除処理を行う。また、入力部50により関連情報の修正要求が行われた場合は、その関連情報の修正処理を行う。
【００４８】
これにより、ユーザは、表示部40に表示された関連情報の中からスケジュール表に登録する関連情報を決定することができる。
【００４９】
ユーザは、スケジュール表に表示された関連情報をスケジュール表に登録する場合は、入力部50により、関連情報の登録要求を行う。
【００５０】
情報登録部12は、入力部50により関連情報の登録要求が行われた場合は（ステップS7/Yes）、表示部40に表示された関連情報を行動予定情報に紐付けてスケジュール情報としてスケジュール表に登録する（ステップS8）。
【００５１】
これにより、入力部50によりスケジュール表に入力した行動予定情報に関連する関連情報を行動予定情報と紐付けてスケジュール表に簡易に登録することができる。
【００５２】
＜本実施形態のスケジュール管理装置1の作用・効果＞
このように、本実施形態のスケジュール管理装置1は、スケジュール表の表示要求コマンドを受け付けた場合に、スケジュール表記憶部21に記憶されているスケジュール表を表示部40に表示する（ステップS1）。そして、表示部40に表示したスケジュール表にユーザの行動予定情報が入力された場合は（ステップS2/Yes）、入力部50により入力された行動予定情報に基づいて、ユーザのアカウントに紐付けられた情報が記憶された各種サイト、ユーザに関連する情報が記憶された記憶部20の各種記憶部21〜23の情報を検索し、行動予定情報に関連する関連情報を取得する（ステップS3）。そして、各種サイト、各種記憶部21〜23から取得した関連情報を行動予定情報に紐付けて表示部40に表示されたスケジュール表に表示する（ステップS4）。これにより、ユーザは、入力部50によりスケジュール表に入力した行動予定情報に関連する関連情報を表示部40に表示されたスケジュール表で把握することができる。また、スケジュール管理装置1は、入力部50により関連情報の登録要求が行われた場合は（ステップS7/Yes）、表示部40に表示された関連情報を行動予定情報に紐付けてスケジュール情報としてスケジュール表に登録する（ステップS8）。これにより、入力部50によりスケジュール表に入力した行動予定情報に関連する関連情報を行動予定情報と紐付けてスケジュール表に簡易に登録することができる。
【００５３】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００５４】
例えば、上述した本実施形態のスケジュール管理装置1は、スケジュール表記憶部21、アルバム情報記憶部22、放送番組情報記憶部23などのユーザに関連する情報が記憶された各種記憶部21〜23を有して構成している。しかし、ユーザに関連する情報が記憶された各種記憶部21〜23をスケジュール管理装置1とネットワークを介して接続する外部装置に設けることも可能である。この場合は、外部装置に設けられた各種記憶部21〜23を検索し、行動予定情報に関連する関連情報を取得することになる。
【００５５】
また、上述した本実施形態のスケジュール管理装置1は、図５に示すように、入力部50によりスケジュール表に入力した行動予定情報と、行動予定情報に関連する関連情報と、を紐付けてスケジュール表に表示している。この場合、スケジュール管理装置1は、ネットワークを介して広告サイトにアクセスし、スケジュール表に表示した行動予定情報や関連情報に関連する広告情報を取得し、その取得した広告情報をスケジュール表に表示することも可能である。この場合、ユーザの購買履歴情報や、ユーザの嗜好情報に基づいて、ユーザに応じた広告情報を広告サイトから取得するようにすることも可能である。
【００５６】
また、上述した本実施形態のスケジュール管理装置1における制御動作は、ハードウェア、または、ソフトウェア、あるいは、両者の複合構成を用いて実行することも可能である。
【００５７】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータにプログラムをインストールして実行させることが可能である。
【００５８】
例えば、プログラムは、記録媒体としてのハードディスクやROM（Read Only Memory）に予め記録しておくことが可能である。あるいは、プログラムは、リムーバブル記録媒体に、一時的、あるいは、永続的に格納（記録）しておくことが可能である。このようなリムーバブル記録媒体は、いわゆるパッケージソフトウエアとして提供することが可能である。リムーバブル記録媒体としては、フロッピー（登録商標）ディスク、CD-ROM（Compact Disc Read Only Memory）、MO（Magneto optical）ディスク、DVD（Digital Versatile Disc）、磁気ディスク、半導体メモリなどがあげられる。
【００５９】
なお、プログラムは、上述したようなリムーバブル記録媒体からコンピュータにインストールすることになる。また、ダウンロードサイトから、コンピュータに無線転送することになる。また、ネットワークを介して、コンピュータに有線で転送することになる。
【００６０】
また、本実施形態におけるスケジュール管理装置1は、上記実施形態で説明した処理動作に従って時系列的に実行されるのみならず、処理を実行する装置の処理能力、あるいは、必要に応じて並列的にあるいは個別に実行するように構築することも可能である。
【符号の説明】
【００６１】
１    スケジュール管理装置
１０    制御部
１１    情報取得部
１２    情報登録部
１３    情報変更部
２０    記憶部
２１    スケジュール表記憶部
２２    アルバム情報記憶部
２３    放送番組情報記憶部
２４    サイト情報記憶部
３０    通信部
４０    表示部
５０    入力部
【図１】
2015090594.tif 000003
【図２】
2015090594.tif 000004
【図３】
2015090594.tif 000005
【図４】
2015090594.tif 000006
【図５】
2015090594.tif 000007